(57)【特許請求の範囲】
【請求項１】
機体（１１）にエンジンなどの駆動源（１２）を備えるとともに耕耘爪などの作業具（４２）を備え、操作パネル（６０）に設けたほぼ直線状のガイド溝（６１）に沿ってシフトレバー（５１）を移動することで、後進、前進１速、前進２速の如く前記駆動源（１２）により機体（１１）を走行させると共に、前記駆動源（１２）により前記作業具（４２）を駆動させて作業を行うことのできる管理機（１０）において、
前記シフトレバー（５１）を直線移動すると接触する張出し部（７２）を、前記ガイド溝（６１）の前進１速位置に設け、
前記ガイド溝（６１）は、前進位置を定める第１溝部（６３）と、この第１溝部（６３）の一端（６３ａ）からＬ字に曲げた直交溝部（６４）と、この直交溝部（６４）の一端（６４ａ）からＬ字に且つ前記第１溝部（６３）に平行にするとともに後進位置を定める第２溝部（６５）と、からなり、
前記直交溝部（６４）と前記第２溝部（６５）とによって段部（７０）を形成することで、前進１速から後進に切換えるときに前記シフトレバー（５１）が前記段部（７０）に一旦当たる様にし、
前記第１溝部（６３）と前記第２溝部（６５）とが、互いの溝幅方向へ一部がオーバーラップし合うことで、前記第１溝部（６３）の一端（６３ａ）の一部は、前記段部（７０）に遮られることなく、前記第２溝部（６５）の閉鎖された奥の端に面しており、
前記張出し部（７２）は、前記第１溝部（６３）のうち、前記段部（７０）に対して交わらない方の溝面に配置し、
前記第１溝部（６３）は、前記張出し部（７２）に対向する位置に、走行／作業切替えガイド溝（６７）が形成され、
この走行／作業切替えガイド溝（６７）は、前記張出し部（７２）から離反する方向へ延ばされていることを特徴とする管理機の変速操作装置。
【発明の詳細な説明】
【０００１】
【発明の属する技術分野】
本発明は、操作パネルにほぼ直線状のガイド溝を設け、このガイド溝に沿ってシフトレバーを移動することにより後進、前進１速、前進２速の切換えを行う管理機の変速操作装置に関する。
【０００２】
【従来の技術】
管理機は、耕耘爪などの作業具をエンジンで回転することにより耕耘爪で圃場を耕耘するものである。この管理機は、エンジンを機体に取付け、この機体の後端から左右の操作ハンドルを後方に延し、これら左右の操作ハンドル間に操作パネルを設け、この操作パネルのガイド溝にシフトレバーを移動自在に備える。
【０００３】
管理機で圃場を耕耘する際には、作業者が左右の操作ハンドルを手で握り、この状態で歩行型耕耘機の走行速度に合せて徒歩で歩行型耕耘機に追従しながら、シフトレバーを操作することにより耕耘爪を回転させて圃場を耕耘する。
この管理機の一例が、特開昭６３−３２４０３号公報「耕うん機」に提案されている。
【０００４】
この技術は、操作パネルに直線状のガイド溝を形成し、このガイド溝に前進２速位置、中立位置、前進１速位置、作業中立位置及び後進位置をこの順に配置し、ガイド溝にシフトレバーを移動自在に備えたものである。
シフトレバーをガイド溝に沿って直線上に移動することにより、トランスミッションの走行シフト軸を移動し、走行シフト軸の移動でトランスミッションギヤの噛み合いを切換えて、歩行型耕耘機の走行状態を前進２速、中立、前進１速、作業中立及び後進に切換えることができる。
【０００５】
このように、前進２速位置、中立位置、前進１速位置、作業中立位置及び後進位置を直線状のガイド溝に配置する構成とすることで、前進走行と後進走行の切換えを一本の走行シフト軸で行うことができる。よって、前進用の走行シフト軸と後進用の走行シフト軸との２本のシフト軸を用意する必要がないので、歩行型耕耘機の構成を簡素にすることができる。
【０００６】
【発明が解決しようとする課題】
しかし、この歩行型耕耘機では、直線状のガイド溝に前進２速位置、中立位置、前進１速位置、作業中立位置及び後進位置をほぼ直線上に配置したので、例えばシフトレバーを前進２速位置から前進１速位置に変速する際に、シフトレバーが前進１速位置を通過して後進位置まで移動しないように操作する必要がある。
このため、作業者はシフトレバーを十分に注意して操作する必要があり、作業者に大きな負担がかかる。
【０００７】
そこで、本発明の目的は、作業者にかかる負担を抑えることができるロータリ耕耘機を提供することにある。
【０００８】
【課題を解決するための手段】
上記目的を達成するために請求項１は、機体にエンジンなどの駆動源を備えるとともに耕耘爪などの作業具を備え、操作パネルに設けたほぼ直線状のガイド溝に沿ってシフトレバーを移動することで、後進、前進１速、前進２速の如く駆動源により機体を走行させると共に、駆動源により作業具を駆動させて作業を行うことのできる管理機において、シフトレバーを直線移動すると接触する張出し部を、ガイド溝の前進１速位置に設け、ガイド溝は、前進位置を定める第１溝部と、この第１溝部の一端からＬ字に曲げた直交溝部と、この直交溝部の一端からＬ字に且つ第１溝部に平行にするとともに後進位置を定める第２溝部と、からなり、直交溝部と第２溝部とによって段部を形成することで、前進１速から後進に切換えるときにシフトレバーが段部に一旦当たる様にし、第１溝部と第２溝部とが、互いの溝幅方向へ一部がオーバーラップし合うことで、第１溝部の一端の一部は、段部に遮られることなく、第２溝部の閉鎖された奥の端に面しており、張出し部は、第１溝部のうち、段部に対して交わらない方の溝面に配置し、第１溝部は、張出し部に対向する位置に、走行／作業切替えガイド溝が形成され、この走行／作業切替えガイド溝は、張出し部から離反する方向へ延ばされていることを特徴とする。
【０００９】
直線状のガイド溝の前進１速位置に張出し部を設け、この張出し部にシフトレバーを接触させる構成とした。このため例えば、シフトレバーを前進２速位置から前進１速位置に移動する際に、シフトレバーが前進１速位置に到達すると、シフトレバーは張出し部に接触する。
この接触はシフトレバーを握る運転者に「手ごたえ感」を与える。これにより、運転者はシフトレバーの位置を知り、シフトレバーを前進１速位置に確実に静止させることができる。
【００１１】
ガイド溝を、前進位置を定める第１溝部と、後進位置を定める第２溝と、これらの溝部をつないだ直交溝部とから構成し、前進１速位置から後進位置に切換えるときにシフトレバーが直交溝部に一旦当たる様にした。
よって例えば、シフトレバーを前進２速位置から前進１速位置に移動する際に、万が一、張出し部に接触したシフトレバーが後進位置側に侵入しようとすると、シフトレバーは直交溝部に当たる。
このため、シフトレバーが後進位置に移動することを確実に阻止することができる。
【００１２】
【発明の実施の形態】
本発明の実施の形態を添付図に基づいて以下に説明する。なお、「前」、「後」、「左」、「右」は作業者から見た方向に従う。また、図面は符号の向きに見るものとする。
図１は本発明に係る変速操作装置を備えた管理機の側面図である。
管理機１０は、機体１１にエンジン１２を載せ、エンジン１２を駆動することによりエンジン１２の回転を駆動プーリ１３に伝え、駆動プーリ１３の回転をベルト１４を介して入力プーリ１５に伝え、入力プーリ１５の回転を変速機構２０を介して左右の走行駆動軸２５，２５（左側のみ図示する）及び作業駆動軸２７に伝え、左右の走行駆動軸２５，２５及び作業駆動軸２７で左右の車輪４０，４０（左側のみ図示する）及びロータリ耕耘爪４２・・・（・・・は複数を示す）を回転することにより走行しながらロータリ耕耘爪４２・・・で土壌を耕耘するロータリ耕耘機である。
【００１３】
ロータリ耕耘爪４２・・・の上方をカバー４３で覆い、このカバー４３に耕深調整用の抵抗棒４４を備える。この抵抗棒４４の高さを調整することで、ロータリ耕耘爪４２・・・で土壌を耕耘する際の耕耘深さを調整することができる。
【００１４】
この管理機１０は、機体１１の後部に操向用のハンドル４６を取付け、ハンドル４６にクラッチレバー４７を備え、機体１１の後部に変速操作装置５０を備える。
変速操作装置５０のシフトレバー５１を操作することにより、管理機１０の前後進を切換え、またロータリ耕耘爪４２・・・の作動状態、非作動状態を切換えることができる。
【００１５】
なお、クラッチレバー４７を操作することにより、一例としてテンションローラ１７をベルト１４に押し付けた状態と、ベルト１４から離した状態とに切換えことができる。
テンションローラ１７をベルト１４に押し付けることで、エンジン１２の駆動力を左右の車輪４０，４０及びロータリ耕耘爪４２・・・に伝えることができ、テンションローラ１７をベルト１４から離すことで、エンジン１２の駆動力を左右の車輪４０，４０及びロータリ耕耘爪４２・・・に伝えないようにできる。
【００１６】
図２は図１の２矢視図である。
変速操作装置５０は、シフトレバー５１を連結部５７を介して機体１１に前後方向及び左右方向に移動自在に取付け、シフトレバー５１を操作パネル６０のガイド溝６１に差込んだものである。
シフトレバー５１は、連結部５７に下端５２ａを取付けたアーム５２と、このアーム５２の上端５２ｂに取付けたロッド５４と、ロッド５４の上端５４ａ（図１に示す）に取付けたグリップ５６（図１に示す）とからなる。
【００１７】
アーム５２は、断面矩形状に形成することにより、走行シフトプランジャ３２の凹部３２ａや作業シフトプランジャ３７の凹部３７ａに嵌込み可能とし、上端５２ｂ近傍を機体１１の中心に向けて湾曲状に曲げ形成することにより操作パネル６０のガイド溝６１の下方に上端５２ｂを配置したものである。
ロッド５４は、アーム５２の上端５２ｂに取付けるるとともに、操作パネル６０のガイド溝６１に移動自在に差込んだものである。
【００１８】
連結部５７は、下軸受５７ａに上軸受５７ｂを直交させて連結した部材である。上軸受５７ａを左右方向に向けてセットし、この上軸受５７ａを上支持ピン５８で機体１１に回転自在に取付け、下軸受５７ａにアーム５２の下端５２ａを下支持ピン５９で回転自在に取付ける。
これにより、アーム５２は、下支持ピン５９を軸にして矢印▲１▼の如く前後方向に揺動することができ、かつ上支持ピン５８を軸にして矢印▲２▼の如く左右方向に揺動することができる。
【００１９】
図３は本発明に係る変速操作装置の操作パネルの平面図である。
操作パネル６０のガイド溝６１は、左右方向に延びた前後進ガイド溝（ガイド溝）６２と、この前後進ガイド溝６２の中央から後方に延びた走行／作業切換えガイド溝６７と、このガイド溝６７の後端から左横方向に延びた作業ガイド溝６８とからなる。
【００２０】
変速操作装置５０によれば、前後進ガイド溝６２にシフトレバー５１を配置した際に、図２に示す走行シフトプランジャ３２の凹部３２ａにアーム５２を嵌込させることができる。よって、この状態でシフトレバー５１を前後進ガイド溝６２に沿って矢印▲３▼の如く移動することで走行シフトプランジャ３２を左右方向に移動することができる。
【００２１】
また、作業ガイド溝６８にシフトレバー５１を配置した際に、図２に示す作業シフトプランジャ３７の凹部３７ａにアーム５２を嵌込させることができる。よって、この状態でシフトレバー５１を作業ガイド溝６８に沿って矢印▲４▼の如く移動することで作業シフトプランジャ３７を左右方向に移動することができる。
【００２２】
ここで、前後進ガイド溝６２は、前進位置を定める第１溝部６３と、この第１溝部６３の一端６３ａからＬ字に曲げた直交溝部６４と、この直交溝部６４の一端６４ａからＬ字に且つ第１溝部６３に平行にするとともに後進位置を定める第２溝部６５とで略クランク状に形成したものである。
これにより、直交溝部６４と第２溝部６５とで段部７０を形成することができる。
【００２３】
前後進ガイド溝６２は、第１溝部６３に一端６３ａ側から前進１速位置、中立位置、前進２速位置をこの順に配置し、直交溝部６４に中立位置を配置し、第２溝部６５に後進位置を配置したものである。
加えて、この前後進ガイド溝６２は、第１溝部６３の前進１速位置（すなわち、一端６３ａ）で、かつ走行／作業切換えガイド溝６７と対向する位置に張出し部７２を形成したものである。
【００２４】
よって、シフトレバー５１を前後進ガイド溝６２に沿って矢印▲３▼の如く直線移動すると、シフトレバー５１は張出し部７２に接触する。
このため、例えばシフトレバー５１を前進２速位置から前進１速位置に移動する際に、シフトレバー５１を張出し部７２に接触させて前進１速位置に確実に静止させることができる。
【００２５】
さらに、この前後進ガイド溝６２には、前述したように前進１速位置と後進位置との間の第２中立位置で、かつ張出し部７２の反対側に段部７０を形成した。よって、前進１速から後進に切換えるときにシフトレバー５１を段部７０に一旦当てることができる。
【００２６】
このため、例えばシフトレバー５１を前進２速位置から前進１速位置に移動する際に、シフトレバー５１が張出し部７２に接触する。この接触はシフトレバー５１を握る運転者に「手ごたえ感」を与える。これにより、運転者はシフトレバー５１の位置を知り、シフトレバー５１を前進１速位置に確実に静止させることができる。よって、シフトレバー５１が後進位置に移動することを簡単に阻止することができる。
【００２７】
また、前進１速位置と前進２速位置との間に中間位置を配置することにより、前進１速から前進２速に切換える際や、前進２速から前進１速に切換える際に急激な速度変化を緩和することができる。よって、管理機１０の変速を円滑に行うことができる。
加えて、前進１速位置と後進位置との間に中間位置を配置することにより、前進１速から後進に切換える際や、後進から前進１速に切換える際に急激な速度変化を緩和することができる。よって、管理機１０の変速を円滑に行うことができる。
【００２８】
図４は本発明に係る管理機の変速操作装置の変速機構の側面図である。
変速機構２０は、図１に示す機体１１にへ字形のケーシング２１を取付け、このケーシング２１に入力軸２２、作業シフト軸２３、第１中間軸２４、左右の走行駆動軸２５，２５（左側のみ図示する）、第２中間軸２６、作業駆動軸２７をそれぞれ回転自在に取付け、第２中間軸２６のスプロケット２６ａと作業駆動軸２７の駆動スプロケット２７ａとにチェーン２８を巻回したものである。
【００２９】
なお、入力軸２２、作業シフト軸２３、第１中間軸２４、左右の走行駆動軸２５、第２中間軸２６及び作業駆動軸２７の矢印で示す回転方向は、前進１速状態でロータリ耕耘軸を回転させた状態を示す。
【００３０】
図５は図４の５−５線断面図である。
変速機構２０は、入力軸２２に入力プーリ１５（図１も参照）を取付け、入力軸２２のスプライン２２ａに走行シフタ３０を軸方向に移動自在に取付け、走行シフタ３０に第１、第２の走行シフト歯車３０ａ，３０ｂを設け、走行シフタ３０に走行シフトフォーク３１を係止し、この走行シフトフォーク３１を走行シフトプランジャ３２に取付けたものである。
【００３１】
加えて、変速機構２０は、作業シフト軸２３のスプライン２３ａに作業シフタ３５を軸方向に移動自在に取付け、作業シフタ３５に作業シフト歯車３５ａを設け、この作業シフタ３５に作業シフトフォーク３６を係止し、この作業シフトフォーク３６を作業シフトプランジャ３７に取付けたものである。
【００３２】
走行シフトプランジャ３２には、前進２速位置、第１中立位置、前進１速位置、第２中立位置、後進位置にそれぞれ凹み３３ａ〜３３ｅを備え、これらの凹みにばね３４ａの付勢力で球体３４ｂを嵌め込むことにより、走行シフトプランジャ３２を前進２速位置、第１中立位置、前進１速位置、第２中立位置、後進位置に静止させる。
【００３３】
また、作業シフトプランジャ３７には、作業位置、非作業位置にそれぞれ凹み３８ａ，３８ｂを備え、これらの凹み３８ａ，３８ｂにばね３９ａの付勢力で球体３９ｂを嵌め込むことにより、作業シフトプランジャ３７を作業位置、非作業位置に静止させる。
【００３４】
よって、シフトレバー５１のアーム５２を走行シフトプランジャ３２の凹部３２ａに嵌込した状態で、シフトレバーを左右方向に移動することにより、第１、第２の走行シフト歯車３０ａ，３０ｂを入力軸２２に沿って左右方向に移動することができる。
また、シフトレバー５１のアーム５２を作業シフトプランジャ３７の凹部３７ａに嵌込した状態で、シフトレバーを左右方向に移動することにより、作業シフト歯車３５ａを作業シフト軸２３に沿って左右方向に移動することができる。
【００３５】
図６は図４の６−６線断面図である。
変速機構２０は、作業シフト軸２３に取付けた歯車２３ｂを第１中間軸２４の歯車２４ａに噛み合わせ、第１中間軸２４の歯車２４ｂを駆動歯車２５ａに噛み合わせ、差動ギヤ機構２５ｂを介して左右の走行駆動軸２５，２５に連結したものである。
【００３６】
よって、図２に示すシフトレバー５１を前進２速の位置に静止させることにより、第１走行シフト歯車３０ａが作業シフト軸２３の歯車２３ｃに噛み合う。これにより、作業シフト軸２３が矢印の如く正転し、作業シフト軸２３の回転が歯車２３ｂ及び歯車２４ａを介して第１中間軸２４に伝わる。
よって、第１中間軸２４が矢印の如く正転することにより、第１中間軸２４の回転が歯車２４ｂ、駆動歯車２５ａ及び差動ギヤ機構２５ｂを介して左右の走行駆動軸２５，２５に伝わる。よって、図１に示す左右の車輪４０，４０が正転して管理機１０が前進２速で走行する。
【００３７】
また、図２に示すシフトレバー５１を前進１速の位置に静止させることにより、第２走行シフト歯車３０ｂが作業シフト軸２３の歯車２３ｂに噛み合う。これにより、歯車２３ｂが矢印の如く正転して、歯車２３ｂの回転が歯車２４ａを介して第１中間軸２４に伝わる。
よって、第１中間軸２４が矢印の如く正転することにより、第１中間軸２４の回転が歯車２４ｂ、駆動歯車２５ａ及び差動ギヤ機構２５ｂを介して左右の走行駆動軸２５，２５に伝わる。よって、図１に示す左右の車輪２５，２５が正転して管理機１０が前進１速で走行する。
【００３８】
さらに、図２に示すシフトレバー５１を後進の位置に静止させることにより、第１走行シフト歯車３０ａが第１中間軸２４の歯車２４ｃに噛み合う。これにより、第１中間軸２４が矢印（破線で示す）の如く回転する。
第１中間軸２４が破線で示す矢印の如く逆転することにより、第１中間軸２４の回転が歯車２４ｂ、駆動歯車２５ａ及び差動ギヤ機構２５ｂを介して左右の走行駆動軸２５，２５に伝わる。よって、図１に示す左右の車輪４０，４０が逆転して管理機１０が後進走行する。
【００３９】
加えて、図２に示すシフトレバー５１を作業位置に静止させることにより、作業シフト歯車３５ａが第２中間軸２６の歯車２６ｂに噛み合う。これにより、スプロケット２６ａ、チェーン２８及び駆動スプロケット２７ａを介して作業駆動軸２７を矢印の如く回転する。よって、図１に示すロータリ耕耘爪４２・・・が回転して土壌を耕耘する。
【００４０】
次に、変速操作装置５０の作用について図７〜図１１に基づいて説明する。
図７（ａ），（ｂ）は本発明に係る管理機の変速操作装置の第１作用説明図である。
（ａ）において、シフトレバー５１を前後進ガイド溝６２の第１溝部６３に沿って矢印ａの如く移動する。
【００４１】
（ｂ）において、シフトレバー５１のアーム５２を矢印ｂの如く移動する。よって、走行シフトプランジャ３２が矢印ｂの如く移動することにより、走行シフトプランジャ３２の凹み３３ｅから球体３４ｂが抜け出す。これにより、走行シフトフォーク３１が前進２速いちから矢印ｃの如く移動する。
【００４２】
図８（ａ），（ｂ）は本発明に係る管理機の変速操作装置の第２作用説明図である。
（ａ）において、シフトレバー５１が張出し部７２に当たって前進１速位置に静止する。このように、シフトレバー５１を張出し部７２に接触させることで、シフトレバー５１を握る運転者に「手ごたえ感」を与えることができる。これにより、運転者はシフトレバー５１の位置を知り、シフトレバー５１を前進１速位置に確実に静止させることができる。
（ｂ）において、走行シフトプランジャ３２の凹み３３ｃに球体３４ｂが入り込み、走行シフトフォーク３１が前進１速位置に静止する。
【００４３】
（ａ）に戻って、シフトレバー５１を走行／作業切換えガイド溝６７に沿って矢印ｄの如く移動する。
（ｂ）において、シフトレバー５１のアーム５２が矢印ｅの如く移動することにより、アーム５２が作業シフトプランジャ３７の凹部３７ａに入り込む。
【００４４】
図９（ａ），（ｂ）は本発明に係る管理機の変速操作装置の第３作用説明図である。
（ａ）において、シフトレバー５１を作業ガイド溝６８に沿って矢印ｆの如く移動する。
（ｂ）において、シフトレバー５１のアーム５２を矢印ｇの如く移動する。よって、作業シフトプランジャ３７が矢印ｇの如く移動することにより、作業シフトプランジャ３７の凹み３８ｂから球体３９ｂが抜け出す。これにより、作業シフトフォーク３６が非作業位置から矢印ｈの如く移動する。
【００４５】
図１０（ａ），（ｂ）は本発明に係る管理機の変速操作装置の第４作用説明図である。
（ａ）において、シフトレバー５１が作業ガイド溝６８の作業位置に静止する。
（ｂ）において、作業シフトプランジャ３７の凹み３８ａに球体３９ｂが入り込み、作業シフトフォーク３６が作業位置に静止する。
よって、図１に示す管理機１０が前進１速で走行しながら、ロータリ耕耘爪４２・・・を回転することによりロータリ耕耘爪４２・・・で土壌を耕耘することができる。
【００４６】
図１１（ａ），（ｂ）は本発明に係る管理機の変速操作装置の第５作用説明図である。
（ａ）において、シフトレバー５１を前後進ガイド溝６２の第１溝部６３に沿って矢印ｊの如く前進２速位置から前進１速位置に移動する。シフトレバー５１が張出し部７２に当たる。これにより、通常はシフトレバー５１が前進１速位置に静止する。
しかし、例えば前進２速位置から前進１速位置に移動する際に、万が一大きな力をかけ過ぎた場合、シフトレバー５１が張出し部７２に当たった後、矢印ｋの如く中立位置に侵入する場合も考えられる。
【００４７】
（ｂ）において、中立位置に侵入したシフトレバー５１は段部７０に当たって、シフトレバー５１が後進位置に侵入することをより確実に防ぐことができる。
加えて、前進１速位置と後進位置との間に中立位置を備えることにより、万が一、シフトレバー５１が張出し部７２を乗り越えてしまった場合でも、シフトレバー５１は中立位置に静止する。
このため、このため、作業者に負担をかけることなく、シフトレバー５１をさらに容易に操作することができる。
【００４８】
なお、前記実施形態では、速度段を前進２速〜前進１速〜後進の場合について説明したが、その他に前進２速の外側に前進３速以上の速度段を備えてもよく、また後進の外側に後進２速以上の速度段を備えていてもよい。
【００４９】
また、前記実施形態では、駆動源としてエンジンを使用した例について説明したが、エンジンの他に電動モータなどの駆動源を使用することも可能である。
さらに、前記実施形態では、作業機としてロータリ耕耘爪４２を使用した例について説明したが、ロータリ耕耘爪４２に代えて、すきなどの作業機を使用することも可能である。
【００５０】
【発明の効果】
本発明は上記構成により次の効果を発揮する。
請求項１は、直線状のガイド溝の前進１速位置に張出し部を設け、この張出し部にシフトレバーを接触させる構成とした。このため例えば、シフトレバーを前進２速位置から前進１速位置に移動する際に、シフトレバーが前進１速位置に到達すると、シフトレバーは張出し部に接触する。
【００５１】
この接触はシフトレバーを握る運転者に「手ごたえ感」を与える。これにより、運転者はシフトレバーの位置を知り、シフトレバーを前進１速位置に確実に静止させることができる。従って、シフトレバーを作業者に負担をかけることなく容易に操作することができる。
【００５２】
加えて、請求項１は、ガイド溝を、前進位置を定める第１溝部と、後進位置を定める第２溝と、これらの溝部をつないだ直交溝部とから構成し、前進１速位置から後進位置に切換えるときにシフトレバーが直交溝部に一旦当たる様にした。
よって例えば、シフトレバーを前進２速位置から前進１速位置に移動する際に、万が一、張出し部に接触したシフトレバーが後進位置側に侵入しようとすると、シフトレバーは直交溝部に当たる。
このため、シフトレバーが後進位置に移動することを確実に阻止することができるので、作業者に負担をかけることなく、シフトレバーをより容易に操作することができる。
【図面の簡単な説明】
【図１】本発明に係る変速操作装置を備えた管理機の側面図
【図２】図１の２矢視図
【図３】本発明に係る変速操作装置の操作パネルの平面図
【図４】本発明に係る管理機の変速操作装置の変速機構の側面図
【図５】図４の５−５線断面図
【図６】図４の６−６線断面図
【図７】本発明に係る管理機の変速操作装置の第１作用説明図
【図８】本発明に係る管理機の変速操作装置の第２作用説明図
【図９】本発明に係る管理機の変速操作装置の第３作用説明図
【図１０】本発明に係る管理機の変速操作装置の第４作用説明図
【図１１】本発明に係る管理機の変速操作装置の第５作用説明図
【符号の説明】
１０…管理機、１１…機体、１２…エンジン（駆動源）、４２…ロータリ耕耘爪（耕耘爪）、５０…変速操作装置、５１…シフトレバー、５２…アーム、６０…操作パネル、６１…ガイド溝、６２…前後進ガイド溝（ガイド溝）、６３…第１溝部、６３ａ…第１溝部の一端、６４…直交溝部、６４ａ…直交溝部の一端、６５…第２溝部、６５ａ…第２溝部の一端、７０…段部、７２…張出し部。
【図１】
0004658338.tif 000002
【図２】
0004658338.tif 000003
【図３】
0004658338.tif 000004
【図４】
0004658338.tif 000005
【図５】
0004658338.tif 000006
【図６】
0004658338.tif 000007
【図７】
0004658338.tif 000008
【図８】
0004658338.tif 000009
【図９】
0004658338.tif 000010
【図１０】
0004658338.tif 000011
【図１１】
0004658338.tif 000012